(57)【特許請求の範囲】
【請求項１】
基礎面に回転可能に立設される支持部材と、
この支持部材の上部に螺着され支持部材の回転により高さ調整可能な基板部、この基板部の両側部から立ち上がり高さの相違する立上り部、及びこれら立上り部から外側に拡開され上記基板部とは一定の角度をなす傾斜板部からなる受部材と、を有することを特徴とする傾斜床用支持脚。
【請求項２】
上記支持部材に、軸方向に貫通して接着剤が通過する軸孔を設ける一方、
この支持部材の下端部に保持部材を設けるとともに、この保持部材に上記軸孔と連通して上記接着剤がこの保持部材の裏面に至る貫通孔を設けたことを特徴とする請求項１に記載の傾斜床用支持脚。
【請求項３】
上記受部材を上部から高さ調節するための孔部が設けられたボードと、
このボードの孔部の周辺裏面側に取り付けられる請求項１又は請求項２に記載の傾斜床用支持脚と、
上記ボードの下端部と基礎面との間の段部に設けたボードの斜面を延長するスペース部材と、
上記ボードとスペース部材とを覆う仕上げ材の前部に設けられ、表面が傾斜する断面略三角形状の踏込部材と、を有することを特徴とする傾斜床構造。
【発明の詳細な説明】
【０００１】
【発明の属する技術分野】
本発明は、傾斜床用支持脚及びこれを用いた屋内或いは屋外に設けられる傾斜床構造に関する。
【０００２】
【従来の技術】
近年、バリアフリーの配慮から、一般住宅等においても段差解消のためのスロープ構造の採用が行われている。このスロープ構造として、例えば図６に示す高さ調整脚６０が開示されている（特開平9-243567）。この調整脚６０は、支持部６１と、この支持部６１に回転自在に支承された雄ねじ部６２と、これに螺合した雌ねじ部６３とからなっている。雄ねじ部６３の上端にはドライバーの先端が係合する溝６４が形成され、また雌ねじ部６３の上端には傾斜角度ブロック６５を支持するブロック支持部６６が設けられている。
【０００３】
上記調整脚６０を用いてスロープを施工する場合には、予め、下板６７に設けられた孔６８の位置の裏面側に傾斜角度ブロック６５を接着剤又は釘等により固定する。そして、下板６７を配置した後、孔６８よりドライバー等を入れて雄ねじ部６３を回してブロック支持部６６の高さを調節する。
【０００４】
【発明が解決しようとする課題】
さて、上記高さ調整脚６０は、高さを調整する雌ねじ部６３と、下板６７を受けて支持する傾斜角度ブロック６５とは別部材で構成されており、このため両者を結合する手段が必要となり、また下板６７を受けるのは傾斜角度ブロック６５と雌ねじ部６３の２部品からなり部品点数も多くなる。
【０００５】
また、雌ねじ部６３と下板６７との間に傾斜角度ブロック６５を介在させることから、これら３つの部材を相互に結合する必要があり、施工に手間取る等の問題がある。
【０００６】
本発明は、上記問題点に鑑みてなされたものであり、簡単な構成で施工が容易に行えるとともに経済性にも優れた傾斜床用支持脚及びこれを用いた傾斜床構造を提供することを目的とする。
【０００７】
【課題を解決するための手段】
以上の技術的課題を解決するため、本発明に係る傾斜床用支持脚は図１に示すように、基礎面３に回転可能に立設される支持部材６と、この支持部材６の上部に螺着され支持部材６の回転により高さ調整可能な基板部２０、この基板部２０の両側部から立ち上がり高さの相違する立上り部２２，２３、及びこれら立上り部から外側に拡開され上記基板部２０とは一定の角度をなす傾斜板部２４，２５からなる受部材８と、を有するものである。
【０００８】
また、本発明に係る傾斜床用支持脚は、上記支持部材６に、軸方向に貫通して接着剤が通過する軸孔１８を設ける一方、この支持部材６の下端部に保持部材４を設けるとともに、この保持部材４に上記軸孔１８と連通して上記接着剤がこの保持部材４の裏面に至る貫通孔１３を設けたことである。
【０００９】
本発明に係る傾斜床構造は、図５に示すように、上記受部材８を上部から高さ調節するための孔部３２が設けられたボード３０と、このボード３０の上記孔部３２の下端側に取り付けられる上記傾斜床用支持脚と、上記ボード３０の下端部と基礎面３との間の段部に設けたボード３０の斜面を延長するスペース部材４６と、上記ボード３０とスペース部材４６とを覆う仕上げ材５４，５６の前部に設けられ、表面が傾斜する断面略三角形状の踏込部材４０と、を有するものである。なお、上記支持部材６の上端部に、例えば角孔、或いは係合溝などの係合部を設けることで工具を用いた高さ調節の操作が容易になる。
【００１０】
【発明の実施の形態】
以下、本発明の実施の形態を図面に基づいて説明する。
図１及び図２は、傾斜床構造に用いられる傾斜床用の支持脚２を示したものである。このスロープ構造は、屋内（又は屋外）に敷設される。上記支持脚２は、保持部材としてスラブ面３に固定される台部材４、この台部材４に立設される支持部材６、及び支持部材６に高さ調節可能に螺着される受部材８を有する。
【００１１】
上記台部材４は、ゴム或いは合成樹脂等の弾性体で形成され、中央部が上方に突出した円板形状をなし上面中央には凹部１０が形成されている。この凹部１０は水平断面が円形であり、上部が少し縮径している。凹部１０の底面部１２の中央には下方に向けて貫通孔１３が形成され、また底面部１２には貫通孔１３から放射状に溝部が形成されている。そして、この底面部１２には、合成樹脂製の中空円盤状のワッシャー１４が介在されている。また、台部材４の裏面部１５には、貫通孔１３を中心に放射状に複数の溝部１１が形成されている。
【００１２】
支持部材６は合成樹脂製で、円板状の頭部１６と螺子溝が刻設された軸部１７からなる。この支持部材６の軸芯部には軸方向に貫通する軸孔１８が設けられ、この軸孔１８の上部には工具の先端が係合する六角の係合孔部１９が形成されている。支持部材６は、スロープの配置箇所に応じて異なる長さのものを用いる。
【００１３】
上記受部材８は、鋼等の金属板を屈曲成形したものである。この受部材８は図３（ａ）（ｂ）（ｃ）に示すように、中央の平坦な基板部２０の左右には立上り部２２，２３が形成され、立上り部２２の上端部から斜め下向きに傾斜する下向傾斜板部２４が、また立上り部２３の上端部から斜め上向きに傾斜する上向傾斜板部２５が形成されている。上記傾斜板部２４，２５の各板面は、基板部２０と所定の角度αをなす一の平面に沿う形態である。この角度αは、スロープの勾配角度に該当し、通常５度〜1０度程度の範囲である。
【００１４】
上記基板部２０の中央部には孔部２６が形成され、この孔部２６はバーリング加工により周囲が下方に突出しており、孔部２６の内周部には螺子溝が刻設されている。また、上記各傾斜板部２４，２５の中央部には、それぞれ小孔２８が設けられている。
【００１５】
そして、上記台部材４の凹部１０の底面部１２にワッシャー１４を介在させ、上から支持部材６の頭部１６を嵌め込む。支持部材６はこの状態で回転自在であり、またワッシャー１４により回転が滑らかに行える。この支持部材６の上部に受部材８の孔部２６を螺着して、高さ調節可能な支持脚２を組立てる。
【００１６】
上記スロープ構造には、支持脚２の上部に敷設するパーティクルボード等の下地ボード３０を用いる。この下地ボード３０は長方形をなし、上記支持脚２で支える箇所に操作孔３２が設けられている。操作孔３２は、傾斜方向に所定の間隔をおいて、また幅方向には、スロープの幅に応じて２列、３列或いはそれ以上の列状に配置される。敷設の際には、操作孔３２から工具等を差し込んで操作する。
【００１７】
図４（ａ）（ｂ）は、スロープ構造の下端に取付けられる踏込部材４０を示したものである。この踏込部材４０はステンレス鋼からなり、水平状の固定板部４２、この端部から立設形成される段差部４３及びこの上端部から斜め下方に緩やかに傾斜する斜面部４４を有している。上記固定板部４２には、一定間隔おきに皿状の孔４５が形成されている。上記踏込部材４０の坂上側に隣接して取付けられるスペース部材４６は、材質及び形態は踏込部材４０と同様であるが、固定板部４２、段差部４８及び斜面部４９は断面形状が大きく形成されている。
【００１８】
ここで、上記支持脚２を用いた屋内スロープ構造の施工について説明する。この屋内スロープ構造により、スラブ面３から所定の高さに形成された水平な床部５２と、スラブ面３との間にスロープ構造を構築する。
【００１９】
先ず、上記下地ボード３０の裏面側に、支持脚２の受部材８を固定する。この際には、スロープ部分の高低方向の３箇所に、順に支持部材６の高さの低い支持脚２を用いる。各支持脚２は、それぞれ下向傾斜板部２４をスロープの下側に、上向傾斜板部２５をスロープの上側に配置し、支持脚２の支持部材６が下地ボード３０の操作孔３２に突入可能な位置で固定する。この固定では、傾斜板部２４，２５の小孔２８にビス３４等の止着具を用いる。
【００２０】
なお、ここではスロープの高低方向の３箇所に支持脚２を配置したが、これは他に１箇所、２箇所或いは３箇所以上でもよく、要はスロープの長さ等に応じて適宜に決める。また、上記支持脚２は、スロープの幅等に応じて傾斜方向に複数列に、或いは必要な箇所を補強する形態で配置する。下地ボード３０は、スロープの上側と、下側にそれぞれ個別のものを用いてもよく、その他、スロープの長さ或いは支持脚２の配置形態に応じて適宜の数を組み合わせて構成することができる。
【００２１】
また、上記支持脚２の他の形態として、例えば保持部材として軸孔を有するインサートアンカーをスラブ面３に埋設固定し、これに全体が棒状のボルト部材の下部を差し入れて回転可能に立設し、このボルト部材の上端部に工具との係合部（角穴或いは溝など）を設け、ボルト部材に上記受部材８を螺着した支持脚を用いることもできる。
【００２２】
さて、下地ボード３０の下端部がスラブ面３に当たる位置には、予めスペース部材４６及び、これに隣接して踏込部材４０を配置する。これら部材は、ねじ等の止着具を固定板部４２の孔４５に用いてスラブ面３に固定する。敷設の際には、踏込部材４０を先に固定し、この固定板部４２にスペース部材４６の斜面部４９を載せた状態で、スペース部材４６を固定する。
【００２３】
このスペース部材４６は、下地ボード３０とスラブ面３との段差を解消するものである。踏込部材４０は、スペース部材４６の表面に敷設する下記捨て板５４、ビニルシート５６などの仕上げ材とスラブ面３との段差を解消し、また傾斜床の踏込み部位の強度を維持する。これらスペース部材４６及び踏込部材４０により、全体になだらかな傾斜床が形成される。なお、スペース部材４６を用いないで踏込部材のみで傾斜床の踏込み部位を構成することができるが、スペース部材４６を用いた場合には踏込み部材が小形に形成できるので、仕上げ材を傾斜床の下部近傍まで広く敷設することができ、機能的にも或いは美観的にも良好である。
【００２４】
そして、上記支持脚２を裏面に取付けた下地ボード３０を、表面を上向きにしてスロープを形成する位置に配置する。この下地ボード３０は、上端部を床部５２の端部に合わせ、一方下地ボード３０の下端部をスペース部材４６の段差部４８に当接させた状態で配置し、支持脚２の高さを調節する。
【００２５】
支持脚２の高さ調節に際しては、下地ボード３０の操作孔３２から六角レンチ等の工具を差し込み、その先端部を支持部材６の係合孔部１９に係合させて回転操作し、受部材８の高さを適切な位置に調節する。このとき、操作孔３２の内径は支持部材６の先端部の外径よりも十分大きく形成されていることから、受部材８の高さ調節は、支持部材６の先端部が操作孔３２に突入して移動する範囲でも行える。
【００２６】
上記支持脚２の高さ調節の後、接着剤の注入器具のノズル先端を、下地ボード３０の操作孔３２を利用して、支持部材６の軸孔１８に差し込み接着剤の注入を行う。注入された接着剤は、軸孔１８を通過しさらにこれと連通する台部材４の貫通孔１３を経て、台部材４の裏面部１５に至り、ここから溝部１１或いは裏面部１５とスラブ面３との間の隙間に流れ込み、台部材４をスラブ面３に固着する。これと併せて、上記接着剤は、凹部１０の底面部１２に設けた放射状の溝部等を経由し、支持部材６の頭部１６と凹部１０との間に充填され、支持部材６を台部材４に固着する。
【００２７】
次に、上記下地ボード３０の上部に捨て板５４を貼り付ける。この際、捨て板５４の下端部は、上記踏込部材４０の段差部４３に当接した状態で配置する。さらに、この捨て板５４の上部から床部５２にかけてビニルシート５６を貼り付けて仕上げる。
【００２８】
このように、上記実施の形態に係る支持脚によれば、受部材８のみで、高さ調節及び下地ボード３０の傾斜状態での支持が行えるので、部品点数が削減されて経済性にも優れ、しかも構成が簡単であり受部材８の下地ボード３０への取付けも容易に行え施工性にも優れる。また、スロープ構造においても、下地ボード３０への支持脚２の取付けが容易に行えるとともに、下地ボードの操作孔３２を利用して工具による高さ調節が行え、さらには下地ボード３０の上から支持脚２を固定する接着剤の注入が簡易に行え施工性に優れ、また、全体になだらかな傾斜の傾斜床構造が得られる。
【００２９】
【発明の効果】
以上説明したように、本発明に係る傾斜床用支持脚によれば、基礎面に立設される支持部材、この支持部材の回転により高さ調整可能な基板部、立上り部、及び基板部とは一定の角度をなす傾斜板部からなる受部材と、を有する構成としたから、構成が簡単で施工性に優れ、また部品点数が削減されて経済性にも優れるという効果を奏する。
【００３０】
また、本発明に係る傾斜床用支持脚によれば、支持部材に軸孔を設け、支持部材の下端部に設けた保持部材に貫通孔を設けた構成としたから、支持部材の上から接着剤の注入が行え、保持部材の固着が簡単で施工性に優れるという効果がある。
【００３１】
本発明に係る傾斜床構造によれば、孔部が設けられたボード、孔部の下端側に取り付けられる傾斜床用支持脚、ボードの下端部に設けられるスペース部材、及び表面が傾斜する踏込部材を有する構成としたから、ボードへの支持脚の取付けが容易に行えるとともに、ボードの孔部を利用して高さ調節が自由に行え施工性に優れ、併せてスペース部材の採用により踏込部材が小形化でき、仕上げ材を傾斜床の下部まで広く敷設することができるので良好である。また、ボードの上から接着剤の注入が行えるので傾斜床用支持脚の固定が簡易に行え施工性に優れるという効果がある。
【図面の簡単な説明】
【図１】本発明の実施の形態に係る傾斜床用の支持脚を示す図である。
【図２】実施の形態に係る支持脚の断面を示す図である。
【図３】実施の形態に係る受け具を示す図であり、（ａ）は平面を、（ｂ）は正面を、（ｃ）は側面をそれぞれ示す。
【図４】実施の形態に係る踏込部材を示す図であり、（ａ）は側面を、（ｂ）は平面をそれぞれ示す図である。
【図５】実施の形態に係る傾斜床構造を示す図である。
【図６】従来例に係る高さ調整脚を示す図である。
【符号の説明】
３  基礎面（スラブ面）
４  保持部材（台部材）
６  支持部材  ８  受部材
１３  貫通孔
１５  裏面部
２０  基板部
２４  傾斜板部（下向傾斜板部）
２５  傾斜板部（上向傾斜板部）
３０  ボード（下地ボード）
３２  孔部（操作孔）
４０  踏込部材
４６  スペース部材
【図１】
0003895185.tif 000002
【図２】
0003895185.tif 000003
【図３】
0003895185.tif 000004
【図４】
0003895185.tif 000005
【図５】
0003895185.tif 000006
【図６】
0003895185.tif 000007